(57)【要約】    【課題】  室内機を据え付ける場所に開けられた（開けられる）壁穴は様々な位置となり、室内機に配置された換気装置と壁穴を介して室外に導かれる通風ダクトととの接続形態は様々である。これらに対応して据え付け作業性の良い空気調和機を提供する。    【解決手段】  熱交換器と、この熱交換器の横に配置された換気装置と、この熱交換器の背面側に設けられた換気用の換気ダクトとを有する室内機と、この室内機と室外とを接続する通風ダクトとを備えた空気調和機において、換気装置と換気ダクトとを接続する第１のアダプターと、換気ダクトと通風ダクトとを接続する３種類の第２のアダプターと、換気装置と通風ダクトとを接続する３種類の第３のアダプターとを本体に同梱した。    【選択図】  図５
2005180775.tif 000002
【特許請求の範囲】
【請求項１】
熱交換器と、この熱交換器の横に配置された換気装置と、この熱交換器の背面側に設けられた換気用の換気ダクトとを有する室内機と、この室内機と室外とを接続する通風ダクトとを備えた空気調和機において、前記換気装置と前記換気ダクトとを接続する第１のアダプターと、前記換気ダクトと前記通風ダクトとを接続する３種類の第２のアダプターと、前記換気装置と前記通風ダクトとを接続する３種類の第３のアダプターとを本体に同梱した空気調和機
【請求項２】
請求項１において、前記通風ダクトに蓋をするキャップを、上記第１のアダプター、第２のアダプター及び第３のアダプターに加え本体に同梱した空気調和機。
【発明の詳細な説明】
【技術分野】
【０００１】
本発明は換気装置を備えた空気調和機に係り、特に据付作業性の向上に好適なものである。
【背景技術】
【０００２】
従来この種空気調和機としては特許文献１に記載されているものがある。この特許文献１には、室内機内に室外機から冷媒が送られて熱交換する室内熱交換器を配し、この熱交換器の両側に空間を設け、一方の空間に換気装置を収納してこの背面に換気ダクトを引き出し、他方の空間から接続冷媒管を室内機の背面に引き出し、据え付けられる壁に開けられた室外に通じる穴の位置に応じて、いずれか一方の配管を、室内機背面下部に設けられた横長の収納室に収納するものが記載されている。この収納室に換気ダクトを横引きする際、換気用ファンから直角に折れ曲げるため、この折れ曲がり部に接続部材を設けることで対応している。
【０００３】
また、特許文献２には、室内機の一端に換気ファンを配置し、室内機背面下部の収納部に両端部に開口部を設けた換気用通路を設置し、室内機の他端側から室外に通じる換気ダクトを配管する場合に、換気ファンとこの換気用通路とを接続具であるエルボにて接続することが記載されている。また、冷媒配管はこの換気用通路と設置される壁との間に配管するというものである。
【０００４】
【特許文献１】特開２０００−２７４７２７号公報
【０００５】
【特許文献２】特開２００３−１８５１７９号公報
【発明の開示】
【発明が解決しようとする課題】
【０００６】
しかしながら、特許文献１のように、背面に横引きダクト収納するものでは、据え付け時に、風路を構成するダクトを折り曲げる際に、ダクトが潰れないように作業を行わなければならず作業性が悪いという問題がある。
【０００７】
これに対して、特許文献２に記載のものは、風路として予め室内機背面に形成されたダクトを備えているので、特許文献１に記載された技術の問題点は解決されるが、室内機と室外機との間の冷媒配管を通す壁穴の位置について２箇所（室内機の左右の背面）しか考慮されていないため、据え付け作業時にこれ以外の個所に穴が設けられていた場合、若しくは使用者がこれ以外の個所に穴をあけることを希望した場合、新たな作業が発生してしまい、作業性が悪くなるという問題がある。
本発明の目的は、換気用のダクトを室内機背面に形成した空気調和機において、据え付けられる部屋の形態に合い、据え付けの作業性をよくした空気調和機を提供することにある。
【課題を解決するための手段】
【０００８】
上記目的は、熱交換器と、この熱交換器の横に配置された換気装置と、この熱交換器の背面側に設けられた換気用の換気ダクトとを有する室内機と、この室内機と室外とを接続する通風ダクトとを備えた空気調和機において、前記換気装置と前記換気ダクトとを接続する第１のアダプターと、前記換気ダクトと前記通風ダクトとを接続する３種類の第２のアダプターと、前記換気装置と前記通風ダクトとを接続する３種類の第３のアダプターとを本体に同梱することにより達成される。
【発明の効果】
【０００９】
本発明によれば、換気用のダクトを室内機背面に形成した空気調和機において、据え付けられる部屋の形態に合い、据え付けの作業性をよくした空気調和機を提供することができる。
【発明を実施するための最良の形態】
【００１０】
以下、本発明による空気調和機の実施形態を図用いて説明する。
【００１１】
本発明の第１実施形態の空気調和機について図１〜図６を参照しながら説明する。図１は本発明の第１実施形態の空気調和機における室内機の化粧カバーを取り外した状態の正面図、図２は図１に化粧カバーを装着した状態のＡ-Ａ断面図、図３は化粧カバーを装着した状態の背面斜視図、図４は換気装置の通風ダクト接続形態を示す拡大斜視図、図５は換気装置用風路に用いる第２アダプターの外観斜視図、図６は換気装置用風路に用いる第３アダプターの外観斜視図である。
【００１２】
図１、図２および図３に示すように、空気調和機は室内機1と室外機（図示せず）を接続冷媒管２で結び室内の熱交換器３等とともに密閉冷凍サイクルを構成している。室内機1は壁面に設置され、室内機1からはドレンホース４、換気用の通風ダクト５が前記接続冷媒管２とともに同一の壁穴を通して室外に引き出されて使われるセパレート形の空気調和機である。運転操作はリモコン６（遠隔操作）により行われる。
【００１３】
室内機１は全体形状が横長であり、箱体は前面および上下面を包囲する樹脂製の化粧カバー７と背面を閉鎖する樹脂製のベース８を備えている。幅方向の中央には熱交換器３と室内送風機９を上下に並置した熱交換室１０が配置され、この熱交換器３の両端に仕切り８ｃ及び仕切り８ｂを介して空間を有し、一方の空間をベント管や除湿用の絞り装置等を収納する配管室１１とし、他方の空間を換気装置を収納する換気装置室１２としている。
【００１４】
化粧カバー７には上方に室内空気の熱交換吸込口７ｓａ前面に熱交換吸込口７ｓｂを備え、下方には熱交換吐出口７ｄが設けられている。また、換気装置室１２に対向する箱体前面には換気の空気の室内取入口１２ｓが設けられ、箱体横幅の中央に換気の空気の室内吹出口１２ｄが設けられている。
【００１５】
図２において、熱交換室１０に対向する前面位置に化粧カバー７を覆うように前面パネル１３が設けられている。この前面パネル１３は、室内吹出口１２ｄの下側を下端（空気吹出口７ｄの上端を下端）とし、前面パネル１３を回動する回転の支点１３ａ付近を上端としている。この前面パネルを回動させて閉めたときには、空気吸込口７ｓａを構成するとともに、後述する室内制御装置２６を覆う。また、換気用の室内吹出口１２ｄが前面パネル１３によって覆われないような形状となっている。
【００１６】
ベース８には後壁８ａと、熱交換室１０との循環空気の風路区画をする左右仕切り８ｂ、８ｃが一体に形成されており、機器類もこのベース８に搭載されている。また、図２に示すように、ベース８の後壁８ａ下方は熱交換後の空気を斜め下前方に案内するために滑らかに前面側に突き出されており、その強度を上げるため突き出し部８ｂの最下端が背面側に折り曲げられている。
【００１７】
ベース８の、上記前方突き出し位置に相当する背面は、後から見れば横長へこみ部が構成されており、このへこみ部を、接続冷媒管２を横引きする場合、あるいは製品出荷する場合の横長収納室１４ａとしている。
【００１８】
ベース８背面には上記横長収納室１４ａのほかに、換気用のダクト１５、換気用の通風開口部１６、接続冷媒管の縦長収納室１４ｂ、背面樋１７が配置されている。換気用のダクト１５は換気風路を室外まで導出させるのを補助するためのもので、図３に示すように向かって左側から冷媒配管２と共に室外に出す場合は必要であるが、向かって右側から室外に配管する場合は不要となる。また、図２に示すようにこの換気用のダクト１５は、ベース８とコ字状に一体で射出成形されており、これに後蓋１５ａをすることでダクトとして機能する。この換気用ダクト１５の横幅寸法は熱交換室１０の横幅とほぼ同じ寸法とし、且つ熱交換室１０にほぼ対応する背面にしてある。室内機全幅の左右端に幅スペースを残し、この幅スペースは、ダクト５との接続、換気装置２３と換気用ダクト１５との中継接続の場所、若しくは接続冷媒管２の曲げ処理場所として確保されている。
【００１９】
換気用の通風開口部１６は、換気装置室１２の背面に位置し、換気用ダクト１５の一端の近傍であって、換気用ダクト１５から幅方向外側で、換気用ダクト１５の下端よりもその下端部が少し高くなるように設けられている。この換気用通風開口部１６と換気用ダクト１５とは直接接続されず、第１アダプター１９によって両者が連通するように構成されている。この第１アダプター１９は背面に突出することなくコンパクトに作られている。また、換気用ダクト１５と換気用通風開口部１６との少なくとも下端部分の高さをずらした理由は、換気用ダクト１５内に水滴が生じても換気装置室１２側に流入されることを防止するためである。
【００２０】
熱交換室１０内の熱交換機３と接続された冷媒管は、配管室１１から縦長収納室１４ｂに導き出され、その下方の横長収納室１４ａに向かう。縦長収納室１４ｂはその下方の横長収納室１４ａに連続しており、広い横長収納室が配管を曲げるための空間となっている。このため、曲折作業時の管潰れ防止などの効果がある。
【００２１】
背面樋１７は、背面に露が生じた場合の水滴を受けるためのもので、室内機１の幅方向に横長に設けられ、一端が他端より低くなるよう傾斜させてある。
【００２２】
次に換気装置２３からダクト５で室外に開口するまでのダクト引き回し構造について説明する。
【００２３】
換気用ダクト１５を使用するときは、図３に示すように通風開口部１６と換気用ダクト１５の一端の開口部とを第１アダプター１９で中継し、換気用ダクト１５の他方端に第２アダプター２０を取り付け、その開口部にダクト５を挿入することで接続される。ダクト５の押さえはバネバンド等による。ダクト５は家屋の内壁と外壁にあけられた穴を介して室外に導き出される。そして室外に出された端部が室外空気に開口される。これにより、据え付け時に潰れが発生し易いフレキシブルダクトの引き回しの横引き作業が不要となる。
【００２４】
また、図３に示すように、換気用ダクト１５および第２アダプター２０は、冷媒接続管２が横引き（二点鎖線に示すように向かって右側から室外に出す場合）されたとしても、換気用ダクト１５は固定されており、この下部に横長収納室１４ａが設けられ、ここに冷媒配管を通すようにしてあるので、両者の重なりが少なく、室内機の奥行き方向に厚くすることなく両者を収納することが可能となっている。また、第１アダプター１９および第２アダプター２０は、ネジによりベース８に固定される。
【００２５】
次に室内機１の内部構成と併せ運転動作を説明する。室内送風機９は横長な貫流ファンであってその駆動用モータ２１は右仕切り８ｃの外側、すなわち配管室１１に配置されている。熱交換器１０は図２に示すように室内送風機９の吸込側となる前方および上方に略逆Ｖ字状にして左右仕切り８ｂ、８ｃ間で支えられている。
室内空気は室内送風機９を運転することにより熱交換吸込口７sａ，７sｂを通して吸い込まれ、熱交換器３と熱交換してから室内送風機９を通り、熱交換吐出口７ｄから室内に戻されて所定の冷房あるいは暖房が行われる。
【００２６】
配管室１１には図１に示すように前記熱交換器１０の接続冷媒管曲がり部２ａ、冷媒分配接続部１０ｃ、その他サイクル構成の機器類（図示せず）等が前記駆動用モータ２１とともに収納されている。
【００２７】
露受皿２２ａ、２２ｂは図２に示すように熱交換器３の下端に敷かれ、冷房運転時の凝縮水を受け、背面樋１７からのドレンと共に集め、ドレンホース４により壁穴を通し室外に導かれる。
【００２８】
換気装置室１２には換気装置２３が設置され、換気送風機１８は前記室内取入口１２ｓ、室内吹出ダクト２４から室内吹出口１２ｄおよび背面に向けた通風開口部と連通する構成となっている。
【００２９】
また、換気送風機１８を挟んで吸込側と吐出側に通風方向を切替えるダンパー（図示せず）が用いられて、背面通風開口部１６側の通風を可能にして給気用（室外空気を取り込む）、あるいは排気用（室内空気を排出する）としたり、上記通風開口部１６を閉鎖して室内から吸い込み室内に戻す循環などの３形態の流れを作り出せるものとなっている。また、室内吹出ダクト２４の途中には除菌フィルター２５が挿入係止されており、前面パネルを開けば、ワンタッチで取付け取外しができる状態にしてある。
【００３０】
次に、３形態の通風構成について、図１中に模式的に示した流線矢印を参照して説明する。
【００３１】
第１形態は給気運転として白抜き矢印で示すように、ベース８背面の通風開口部１６を介して室外空気を取り込み、換気送風機１８、露受皿２２ａ前面に設けられた吹出ダクト２４を介して、室内機１の略中央に配置された室内吹出口１２ｄより室内に新鮮な空気を供給する。
【００３２】
第２形態は排気運転として黒塗り矢印で示すように、室内空気を室内取入口１２ｓから取り込み、換気送風機１８を介して、ベース背面の通風開口部１６に送ることで、室外に室内の空気を排気する。
【００３３】
第３形態は循環運転として破線矢印で示すように、室内空気を室内取入口１２ｓから取り込み、換気送風機１８、吹出ダクト２４を介して、室内吹出口１２ｄよりサーキュレーションされた空気として再び室内に戻される。
【００３４】
背面の通風開口部１６（室外に通じる）は給気と排気の両用として使用され、室内の室内取入口１２ｓは吸い込み専用として使用される。室内吹出口１２ｄは吹き出し専用として使用されるものである。
【００３５】
制御装置２６は図１、図２に示すように前面の露受皿２２ａの上部で吹出ダクト２２との間に設置され、リモコン６の操作指令に基づき所定の冷房運転、暖房運転、給排気などの換気運転などの制御を行う。
【００３６】
表示装置２７は制御装置２６よりも前方で、色別、点滅などの目視表示を含む運転状態を表示するものである。
【００３７】
つぎに、換気通風路の実施形態構成について図３を中心にして説明する。ここまでに説明した形態は、壁穴が換気装置２３の位置と反対方向に離れていて、換気ダクトを室内機の背面を横引きしなければならない場合を例にして本全体構成を説明したものである。しかし、現実としては横引き後でも、壁穴が直後方にある場合、横方向にある場合、下方向にある場合がある。換気装置の近くに壁穴があって横引きを必要としないときにも、壁穴が直後方にある場合、横方向にある場合、下方向にある場合、に大きく分けて６形態がある。
【００３８】
本実施例では、壁穴の位置によって、換気ダクト１５と通風ダクト５を都合良く連結する第２アダプター２０および第３アダプター３０も選定できるよう提供するものである。以下、その６形態（図５，図６参照）についてそれぞれ詳細に説明する。
【００３９】
まず、第１の形態は壁穴が換気装置２１の位置と反対方向に離れている、すなわち配管室１１に略対向する壁位置に貫通孔が設けられている場合、換気ダクト１５を利用して（横引き）通風路を確保する必要がある。図３、図４を中心に用いて説明する。換気ダクト１５は、上部後方熱交換器３の露受皿２２ｂの下部であって、室内送風機９の略背面のベース８に形成されている。そしてその下部に接続冷媒管２及びドレンホース４が横引きされる際に収納される空間である横長収納室１４ａが設けられている。また、換気ダクト１５は熱交換室１０のほぼ幅範囲の横長に配置され、第１アダプター１９が換気装置２１の背面で、換気装置の通風開口部１６と前記換気ダクト１５間を結び両者を連通している。換気ダクト１５の他方端、すなわち仕切板８ｂで区画された配管室１１の背面位置には、第２アダプター２０が取付けられ換気ダクト１５と連通されている。第２アダプター２０には、後方に向けた円形の開口部が形成され、この円形の開口部には、室外に導かれる通風ダクト５が接続されている。この部分の接続の固定は、前述の如く、開口部の外周に通風ダクト５を挿入して、リング状のバネバンド２８で押さえることにより終了する。
【００４０】
本実施例においては、換気ダクト１５が室内機１と一体に形成されているため、換気ダクト１５の横引き作業が不要となっている。また、換気をするための通風路における曲げ部を第１アダプター１９、第２アダプタ−２０で定形化されているので、接続冷媒管引き回し時の曲げ作業がほとんど無くなることである。このため、据え付け作業が簡単で、良好な換気量を確保できる。
【００４１】
細部の技術形態としては、図３、図５に示すように、第２アダプター２０の開口部において、通風ダクト５に対向する開口部２０ｂの形状は円形となし、換気ダクト１５に対向する開口部２０ａの形状は通風面積を稼げる略矩形となしている。また、高さ位置は通風ダクト５に対向する開口部を換気ダクト１５に対向する開口部よりも低く形成されおり、また、通風ダクト５に対向する開口部は、横長収納室１４ａ内の上方位置までにとどめている。
【００４２】
これにより、接続冷媒管２に最小限に近づけて壁穴を共有して通す作業性を良好にするほか、換気ダクト１５から離して曲がりを少なくして通風抵抗を小にして換気量を向上できる。加えて、第２アダプター２０および通風ダクト５内に水滴が生じた場合の換気ダクト１５側へ逆流を防止でき、且つ開口部２０ｂを下方で奥に深みのある横長収納室１４ａに近づけて作業の奥行きスペースを稼ぎ、円形化開口部と併せ通風ダクト５との接続作業を容易にできるものである。円形の通風ダクト５を使用できるので入手し易く取付け性も良い。この場合の第２アダプターの拡大斜視図を図５の（Ｒａ）に示す。
【００４３】
また、図３に示すように、冷媒接続管２は配管室１１の背面から背面上の最側方にて縦に引き出され、縦長収納室１４ｂの最下端から後方に折り曲げて壁穴（図示せず）に向けている。図４に示すように、この場合第２アダプター２０の室内機１の幅方向における位置は、冷媒接続管２が、ベース８内壁と通風ダクト５との間に位置することができる位置としている。また、この間隔は、断熱材で覆われた冷媒配管２の最大厚みも考慮している。このため両者の重なりが無くなり、縦長，横長収納室１４ａ、１４ｂの奥行きが活用されるので、第２アダプター２０の後方への突出量が少なくなり、室内機の全体厚みの縮減にも貢献できる。また、このコーナにおける通風ダクト５の接続も容易であり、冷媒接続管２の曲げ作業も支障なく、行うことができる。
【００４４】
第１アダプター１９および第２アダプター２０と換気ダクト１５との接続は、作業性が良くなるように考えられている。即ち、図７に示されるように、アダプター側の換気ダクト１５と接続される部分である接続口（２０ａ、３０ａ）は、ベース８側面の１辺が切りかかれており、換気ダクト１５のベース８側以外の面が、この接続口の３面によって覆うように形成されている。すなわち、アダプターの接続作業は、背面側からベース８に向けて、取付け用の２ヵ所のフランジ部穴２０ｃがベース８側のネジ穴に合うように取付けるだけで、両者の接続が完了する。一方を挿入する等の狭い場所での困難な作業ではないので、作業性は良い。そしてフランジ部穴２０ｃにネジを通してベース８背面に固定する。ベース８は第１アダプター１９の数倍の肉厚で強固なので通風ダクト５の接続作業で位置ずれが生じて破損するようなことがない。第２アダプターは次に述べるものを含め３形態あるが、ネジ固定位置２０ｃを同じにして、共用化と簡素化をはかっている。また、風路内にネジが突き出る問題もない。
【００４５】
第２の形態は、壁穴が換気装置２３の位置と反対方向（配管室側）に離れていて、換気通風路を換気ダクト１５で横引きし、さらに壁穴が室内機１の横方向にある場合である。
【００４６】
この場合には、円形開口部を横方向に向けた図５の（Ｒｂ）に示す横向きの第２アダプター２０が用意されており、これを介して通風ダクト５で室外に引き出すことが可能である。すなわち、室内機１からの引き出しは本体にあらかじめミシン目に施された側面切り抜き部２９ａを外して開口部を作り引き出される。
【００４７】
第３の形態は、壁穴が換気装置２１の位置と反対方向に離れていて、換気ダクト１５で横引きし、ここでは壁穴が室内機１の下方向にある場合である。この場合には、円形開口部を下方向に向けた図５の（Ｒｃ）に示す下向きの第２アダプター２０が用意されており、これを介して通風ダクト５で室外に引き出せる。室内機１からの引き出しは同様に本体側面にあらかじめミシン目に施された下面切り抜き部２９ｂを外して開口部を作り引き出される。
【００４８】
第４形態は、換気装置の近くに壁穴があって横引き（換気ダクト）を必要としないときで壁穴が直後方にある場合である。この場合には、円形開口部を後方に向けた図６の（Ｌａ）に示す第３アダプター３０が用意されており、これを換気装置の通風開口部１５に取付け、これを介して通風ダクト５で室外に引き出される。
【００４９】
第５形態は、換気装置側に壁穴があって横引き（換気ダクト）を必要としないときで壁穴が室内機１の横方向にある場合である。この場合には、円形開口部を横に向けた図６の（Ｌｂ）に示す横向きの第３アダプター３０が用意されており、これを換気装置の通風開口部１６に取付け、これを介して通風ダクト５で室外に引き出される。
【００５０】
室内機１からの引き出しは本体側面にあらかじめあらかじめミシン目に施された側面面切り抜き部２９ｃを外して開口部を作り引き出される。
【００５１】
第６形態は、換気装置の近くに壁穴があって横引き（換気ダクト）を必要としないときで壁穴が下方向にある場合である。この場合には、円形開口部を下方向に向けた図６の（Ｌｃ）に示す下向きの第３アダプター３０用意されており、これを換気装置の通風開口部１６に取付け、これを介して通風ダクト５で室外に引き出せる。室内機１からの引き出しは同様に本体下面にあらかじめミシン目に施された下面切り抜き部２９ｄを外して開口部を作り引き出される。
【００５２】
次に通風開口部１６に直接取付ける第３アダプター２０の細部構成を図３および図６を参照して説明する。
【００５３】
第３アダプター３０の開口部のうち、通風開口部に対向する開口部３０ａの形状は、コンパクトで通風面積を稼げる略矩形となし、他端の通風ダクト５に対向する開口部３０ｂの形状は円形となし、高さ位置は換気装置の通風開口部に対向する開口部３０ａより通風ダクト５に対向する開口部３０ｂを低く構成し、また、横長収納室１４ａ内の上方位置にとどめている。
【００５４】
これにより、接続冷媒管２に最小限に近づけて共に壁穴を通す作業性を良好にするほか、通風開口部から離して曲がりを少なくして通風抵抗を小にし換気量を向上できる。且つ開口部３０ｂを、下方で奥に深まる横長収納室１４に程よく近づけて作業の奥スペースを稼ぎ、第３アダプター３０および通風ダクト５内に水滴が生じた場合の換気装置２３側への流れ込みを防ぎ、円形化開口部と併せ通風ダクト５との接続作業を容易にできるものである。円形の通風ダクト５を使用できるので入手し易く取付け性も良い。
【００５５】
一方、接続冷媒管２は、図３に中に二点鎖線で示すように、配管室の背面から背面上の最側方にて縦に引き出され、その後下方収納室を横引きして第３アダプター側に近づけた後、通風ダクト５と同じ方向に曲げて壁穴（図示せず）に向けるが、この場合、第３アダプターの通風ダクト開口部の上下方向位置は、背面上で冷媒接続管２の２本一体包囲断熱材のふくらみ部中心より内側ラインに位置させてあるので、最大厚み部での重なりが無くなり、アダプターのコンパクト化のほか、室内機1の全体厚みの縮減にも貢献できる。
【００５６】
また、通風ダクト５と通風開口部１６間を結ぶ第３アダプターの固定は、第３アダプターに設けた取付け用の２ヵ所フランジ部穴にネジを通してベース８の背面に固定される。ベース８は第３アダプターより数倍の肉厚であり、強固であるので通風ダクト５の接続作業で位置ずれが生じて破損するようなことがない。また、風路内にネジが突き出る問題もない。第３アダプターの３形態はネジ固定位置３０ｃを同じにして、共用化と簡素化をはかっている。通風ダクト５との接続は円形開口部に外側に通風ダクト５を挿入し、円形のバネバンド２８で固定される。
【００５７】
以上説明したアダプター１９、２０、３０を纏める。
【００５８】
換気ダクト１５を用いる場合。通風開口部１６と換気ダクト１５とを接続するアダプター１９は必須となる。そして、換気ダクト１５と通風ダクト５とを接続する３種類のアダプター２０（後方接続用Ｒａ、横接続用Ｒｂ、下方接続用Ｒｃ）のうちのいずれか一つを使用する。
【００５９】
また、換気ダクト１５を用いない場合。通風開口部１６と通風ダクト５とを接続する３種類のアダプター３０（後方接続用Ｌａ、横接続用Ｌｂ、下方接続用Ｌｃ）のうちのいずれか一つを使用する。
【００６０】
実際の据付作業は、空気調和機の室内機を据え付ける部屋に作業者が赴いて、使用者と据え付け場所をその場で決めて作業に係ることが多い。壁穴の位置若しくは壁穴をあける位置は、作業者が現場で確認することが多いため、使用するアダプターもその場で決めなければならない。このため、本実施例では、少なくとも、上記７種類のアダプターを工場出荷時に空気調和機本体と同梱して出荷するようにした。
【００６１】
ところで、せっかくの換気装置であるが、設置場所の問題等々で換気装置を使わない場合がある。このような場合、換気ダクト１５や通風開口部１６から埃が進入してきてしまうことが考えられる。この問題を解決するため、本実施例では、通風開口部１６と換気ダクト１５との間をアダプター１９にて接続し、換気ダクトの１５の反アダプター１９側を塞ぐ目隠しキャップ（図５のアダプターＲａの円形開口部２０ｂが塞がれている形状）をねじ止めすることで取り付ける。
【図面の簡単な説明】
【００６２】
【図１】本発明の実施形態の空気調和機における室内機の化粧カバーを取り外した状態の正面図である。
【図２】図１の化粧カバーを装着した状態のＡ-Ａ断面図である。
【図３】図１の化粧カバーを装着した状態の背面斜視図である。
【図４】図３における換気装置の通風ダクト接続部の拡大斜視図である。
【図５】本発明の換気装置用風路に用いる複数の第２アダプターの外観斜視図である。
【図６】本発明の換気装置用風路に用いる複数の第３アダプターの外観斜視図である。
【図７】アダプターと換気ダクトとの接続を説明する図である。
【符号の説明】
【００６３】
１…室内機、２…接続冷媒管、３…熱交換器、４…ドレンホース、５…通風ダクト、６…リモコン、７…化粧カバー、７ｓａ…熱交換吸込口、７ｓｂ…熱交換吸込口、７ｄ…熱交換吐出口、８…ベース、８ａ…後壁、８ｂ…左仕切板、８ｃ…左仕切板、９…室内送風機、１０…熱交換室、１１…配管室、１２…換気装置室、１２ｓ…空気取入口、１２ｄ…空気吹出口、１３…前面パネル、１３ａ…支点、１４ａ…横長収納室、１４ｂ…縦長収納室、１５…換気ダクト、１６…通風開口部、１７…背面樋、１８…換気送風機、１９…第１アダプター、１９ａ，１９ｂ…開口部、２０…第２アダプター、２１…モータ、２２ａ，２２ｂ…露受皿、２３…換気装置、２４…吹出ダクト、２５…除菌フィルター、２６…制御装置、２７…表示装置、２８…バンド、２９ａ，２９ｂ，２９ｃ，２９ｄ…切抜部、３０…第３アダプター、３０ａ，３０ｂ…開口部。
【図１】
2005180775.tif 000003
【図２】
2005180775.tif 000004
【図３】
2005180775.tif 000005
【図４】
2005180775.tif 000006
【図５】
2005180775.tif 000007
【図６】
2005180775.tif 000008
【図７】
2005180775.tif 000009